【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
動画像データと静止画像データとを取得する取得手段と、
単一の動画像データから複数のフレームデータを抽出する抽出手段と、
前記取得手段で取得可能な画像データのうち表示装置に切り替えて表示すべき画像の画像データを選択する選択手段と、
前記選択手段によって選択された画像データが静止画像データである場合は、前記表示装置に当該静止画像データによる単一の画像を表示させ、前記選択手段によって選択された画像データが動画像データである場合は、前記表示装置に、前記抽出手段によって抽出した単一の当該動画像データのうちの複数のフレームデータによる複数の画像を同時に表示させるよう制御する表示制御手段とを有することを特徴とする画像表示制御装置。
【請求項２】
前記選択手段によって選択された画像データが動画像データである場合における前記表示装置上の表示状態を、前記複数のフレームデータを前記表示装置に表示させる表示状態と他の表示状態との間で切り替える切り替え手段を更に有することを特徴とする請求項１に記載の画像表示制御装置。
【請求項３】
前記他の表示状態とは、前記動画像データの第１のフレームデータを前記表示装置上に表示させる表示状態であることを特徴とする請求項２に記載の画像表示制御装置。
【請求項４】
前記抽出手段は、前記動画像データと前記静止画像データとを記録する記録手段に対する前記動画像データの記録動作とともに、前記動画像データからの前記複数のフレームデータの抽出動作を実行することを特徴とする請求項１乃至３の何れか１項に記載の画像表示制御装置。
【請求項５】
前記抽出手段は、前記動画像データと前記静止画像データとを記録する記録手段に対する記録手段への前記動画像データの記録時間の経過に従って、前記複数のフレームデータの抽出間隔を変化させることを特徴とする請求項１乃至３の何れか１項に記載の画像表示制御装置。
【請求項６】
前記抽出手段は、前記動画像データの前記記録手段への記録時間の経過に従って、前記複数のフレームデータの抽出間隔を広げることを特徴とする請求項５に記載の画像表示制御装置。
【請求項７】
前記抽出手段は、前記動画像データの前記記録手段への記録時間の経過に従って、前記複数のフレームデータの抽出数を一定に保ちつつ抽出間隔を広げることを特徴とする請求項５に記載の画像表示制御装置。
【請求項８】
前記表示制御手段は、前記抽出手段により抽出された前記複数のフレームデータのうちの一部を前記表示装置上に表示させることを特徴とする請求項１に記載の画像表示制御装置。
【請求項９】
前記動画像データは、動画再生用データを含み、前記抽出手段により抽出された前記複数のフレームデータは、前記動画再生用データとともに前記動画像データ内に更に記録されることを特徴とする請求項１乃至８の何れか１項に記載の画像表示制御装置。
【請求項１０】
前記動画像データは、動画再生用データを含み、前記抽出手段により抽出される前記複数のフレームデータは、前記動画像データとは異なるファイル内に記録されることを特徴とする請求項１乃至８の何れか１項に記載の画像表示制御装置。
【請求項１１】
前記複数のフレームデータは、前記動画像データ内において前記動画再生用データより前の読み取り位置に記録されることを特徴とする請求項９に記載の画像表示制御装置。
【請求項１２】
画像表示制御装置による画像表示制御方法であって、
動画像データと静止画像データとを取得する取得ステップと、
単一の動画像データから複数のフレームデータを抽出する抽出ステップと、
前記取得ステップで取得可能な画像データのうち表示装置に切り替えて表示すべき画像の画像データを選択する選択ステップと、
前記選択ステップによって選択された画像データが静止画像データである場合は、前記表示装置に当該静止画像データによる単一の画像を表示させ、前記選択ステップによって選択された画像データが動画像データである場合は、前記表示装置に、前記抽出ステップによって抽出した単一の当該動画像データのうちの複数のフレームデータによる複数の画像を同時に表示させるよう制御する表示制御ステップとを含むことを特徴とする画像表示制御方法。
【請求項１３】
動画像データと静止画像データとを取得する取得ステップと、
単一の動画像データから複数のフレームデータを抽出する抽出ステップと、
前記取得ステップで取得可能な画像データのうち表示装置に切り替えて表示すべき画像の画像データを選択する選択ステップと、
前記選択ステップによって選択された画像データが静止画像データである場合は、前記表示装置に当該静止画像データによる単一の画像を表示させ、前記選択ステップによって選択された画像データが動画像データである場合は、前記表示装置に、前記抽出ステップによって抽出した単一の当該動画像データのうちの複数のフレームデータによる複数の画像を同時に表示させるよう制御する表示制御ステップとをコンピュータに実行させるためのプログラム。
【請求項１４】
動画像データと静止画像データとを取得する取得ステップと、
単一の動画像データから複数のフレームデータを抽出する抽出ステップと、
前記取得ステップで取得可能な画像データのうち表示装置に切り替えて表示すべき画像の画像データを選択する選択ステップと、
前記選択ステップによって選択された画像データが静止画像データである場合は、前記表示装置に当該静止画像データによる単一の画像を表示させ、前記選択ステップによって選択された画像データが動画像データである場合は、前記表示装置に、前記抽出ステップによって抽出した単一の当該動画像データのうちの複数のフレームデータによる複数の画像を同時に表示させるよう制御する表示制御ステップとをコンピュータに実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像表示制御装置及び画像表示制御方法
【手続補正３】
【補正対象書類名】明細書
【補正対象項目名】０００１
【補正方法】変更
【補正の内容】
【０００１】
本発明は、動画像データの内容を再生させることなく把握可能な技術に関するものである。
【手続補正４】
【補正対象書類名】明細書
【補正対象項目名】０００５
【補正方法】変更
【補正の内容】
【０００５】
そこで、本発明の目的は、表示装置に表示させる画像データとして静止画像データが選択された場合には、単一の静止画像データを表示装置に大きく表示させるとともに、表示装置に表示させる画像データとして動画像データが選択された場合には、動画像データから抽出された複数のフレームデータを表示装置に表示させることで動画像の内容をより正確に把握することを可能とすることにある。
【手続補正５】
【補正対象書類名】明細書
【補正対象項目名】０００６
【補正方法】変更
【補正の内容】
【０００６】
本発明の画像表示制御装置は、動画像データと静止画像データとを取得する取得手段と、単一の動画像データから複数のフレームデータを抽出する抽出手段と、前記取得手段で取得可能な画像データのうち表示装置に切り替えて表示すべき画像の画像データを選択する選択手段と、前記選択手段によって選択された画像データが静止画像データである場合は、前記表示装置に当該静止画像データによる単一の画像を表示させ、前記選択手段によって選択された画像データが動画像データである場合は、前記表示装置に、前記抽出手段によって抽出した単一の当該動画像データのうちの複数のフレームデータによる複数の画像を同時に表示させるよう制御する表示制御手段とを有することを特徴とする。
本発明の画像表示制御方法は、画像表示制御装置による画像表示制御方法であって、動画像データと静止画像データとを取得する取得ステップと、単一の動画像データから複数のフレームデータを抽出する抽出ステップと、前記取得ステップで取得可能な画像データのうち表示装置に切り替えて表示すべき画像の画像データを選択する選択ステップと、前記選択ステップによって選択された画像データが静止画像データである場合は、前記表示装置に当該静止画像データによる単一の画像を表示させ、前記選択ステップによって選択された画像データが動画像データである場合は、前記表示装置に、前記抽出ステップによって抽出した単一の当該動画像データのうちの複数のフレームデータによる複数の画像を同時に表示させるよう制御する表示制御ステップとを含むことを特徴とする。
本発明のプログラムは、動画像データと静止画像データとを取得する取得ステップと、単一の動画像データから複数のフレームデータを抽出する抽出ステップと、前記取得ステップで取得可能な画像データのうち表示装置に切り替えて表示すべき画像の画像データを選択する選択ステップと、前記選択ステップによって選択された画像データが静止画像データである場合は、前記表示装置に当該静止画像データによる単一の画像を表示させ、前記選択ステップによって選択された画像データが動画像データである場合は、前記表示装置に、前記抽出ステップによって抽出した単一の当該動画像データのうちの複数のフレームデータによる複数の画像を同時に表示させるよう制御する表示制御ステップとをコンピュータに実行させることを特徴とする。
本発明のコンピュータ読み取り可能な記録媒体は、動画像データと静止画像データとを取得する取得ステップと、単一の動画像データから複数のフレームデータを抽出する抽出ステップと、前記取得ステップで取得可能な画像データのうち表示装置に切り替えて表示すべき画像の画像データを選択する選択ステップと、前記選択ステップによって選択された画像データが静止画像データである場合は、前記表示装置に当該静止画像データによる単一の画像を表示させ、前記選択ステップによって選択された画像データが動画像データである場合は、前記表示装置に、前記抽出ステップによって抽出した単一の当該動画像データのうちの複数のフレームデータによる複数の画像を同時に表示させるよう制御する表示制御ステップとをコンピュータに実行させるためのプログラムを記録したことを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明によれば、表示装置に表示させる画像データとして静止画像データが選択された場合には、単一の静止画像データを表示装置に大きく表示させるとともに、表示装置に表示させる画像データとして動画像データが選択された場合には、動画像データから抽出された複数のフレームデータを表示装置に表示させることで動画像の内容をより正確に把握することが可能となる。